【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
複数のプラグ接触部を有する通信プラグと咬合さるように構成された通信ジャックであって、前記通信ジャックは、
前記通信プラグを受け入れるための開口部を有する筐体と、
前記開口部に少なくとも部分的に受け入れられ、前記開口部に近接した各近位端を含み、前記開口部から遠位の各遠位端を有する複数のプラグインターフェース接触部であって、前記遠位端が前記通信ジャック内で固定され、前記近位端が床部に隣接するばね部を含む、複数のプラグ接触部と、
を備え、
前記プラグインターフェース接触部それぞれは、前記プラグ接触部の１つと結合され、前記ばね部それぞれは、前記床部を押圧し、前記プラグ接触部それぞれに向かって前記近位端それぞれを付勢する、通信ジャック。
【請求項２】
前記ばね部がＣ字形の断面を有する、請求項１に記載の通信ジャック。
【請求項３】
前記複数のプラグ接触部が、第１の湾曲部と、前記第１の湾曲部に接続された第２の湾曲部と、前記第２の湾曲部に接続された上側ビーム部とを含む、請求項１に記載の通信ジャック。
【請求項４】
前記複数のプラグ接触部が、前記上側ビーム部を脚部に接続する第１の結合部と、前記脚部を前記近位端に結合する第２の結合部とをさらに含む、請求項３に記載の通信ジャック。
【請求項５】
前記第１の湾曲部に接続された柔軟ピンをさらに含む、請求項４に記載の通信ジャック。
【請求項６】
通信機器と、
前記通信機器に接続され、複数のプラグ接触部を有するプラグを受け入れるための開口部を有する筐体と、前記開口部に少なくとも部分的に受け入れられる複数のプラグインターフェース接触部と、を有する通信ジャックであって、前記複数のプラグインターフェース接触部が前記開口部に近接した各近位端を含み、前記複数のプラグインターフェース接触部が前記開口部から遠位の各遠位端を有し、前記遠位端が前記通信ジャック内で固定され、前記近位端が床部に隣接するばね部を含む、通信ジャックと、
を備える、通信システムであって、
前記プラグインターフェース接触部それぞれは、前記プラグ接触部の１つと結合され、前記ばね部それぞれは、前記床部を押圧し、前記プラグ接触部それぞれに向かって前記近位端それぞれを付勢する、通信システム。
【請求項７】
前記ばね部が「Ｃ字」形の断面を有する、請求項６に記載の通信システム。
【請求項８】
前記複数のプラグ接触部が、第１の湾曲部と、前記第１の湾曲部に接続された第２の湾曲部と、前記第２の湾曲部に接続された上側ビーム部とを含む、請求項６に記載の通信システム。
【請求項９】
前記複数のプラグ接触部が、前記上側ビーム部を脚部に接続する第１の結合部と、前記脚部を前記近位端に結合する第２の結合部とをさらに含む、請求項８に記載の通信システム。
【請求項１０】
前記第１の湾曲部に接続された柔軟ピンをさらに含む、請求項９に記載の通信システム。
【請求項１１】
プラグを受け入れるための開口部を有する筐体と、
前記開口部に少なくとも部分的に配置され、それぞれが前記前記開口部に近接した端領域を含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
を備える、通信ジャックであって、
前記第１のプラグインターフェース接触部の前記端領域と前記第４のプラグインターフェース接触部の前記端領域は、側面から見た際にＳ字形状を有し、
前記第２のプラグインターフェース接触部の前記端領域と前記第３のプラグインターフェース接触部の前記端領域は、側面から見た際にＣ字形状を有する、通信ジャック。
【請求項１２】
前記第１のプラグインターフェース接触部及び前記第２のプラグインターフェース接触部が前記第３のプラグインターフェース接触部及び前記第４のプラグインターフェース接触部を挟む、請求項１１に記載の通信ジャック。
【請求項１３】
前記第３のプラグインターフェース接触部は、それぞれの前記端領域において前記第４のプラグインターフェース接触部を跨ぐ、請求項１１に記載の通信ジャック。
【請求項１４】
前記第１、第２、第３、及び、第４のプラグインターフェース接触部が対応する通信プラグのプラグ接触部それぞれと適合する接触領域をさらに含み、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置され、
前記第２のプラグインターフェース接触部がぞれぞれの前記端領域の一部において前記第３のプラグインターフェース接触部と隣接して配置され、
前記第１のプラグインターフェース接触部がぞれぞれの前記端領域の一部において前記第４のプラグインターフェース接触部と隣接して配置される、請求項１１に記載の通信ジャック。
【請求項１５】
前記第１、第２、第３、及び、第４のプラグインターフェース接触部の少なくとも１つが、その前記端領域において支持される、請求項１１に記載の通信ジャック。
【請求項１６】
プラグを受け入れるための開口部を有する筐体と、
前記開口部に少なくとも部分的に配置され、それぞれが前記前記開口部に近接した端領域と通信ジャック内に固定された固定端とを含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
前記開口部に少なくとも部分的に配置され、それぞれ前記前記開口部に近接した端領域と通信ジャック内に固定された固定端とを含み、第２の差動ペアを形成する、第３のプラグインターフェース接触部及び第４のプラグインターフェース接触部と、
を備える、通信ジャックであって、
前記第３のプラグインターフェース接触部がそれぞれの前記端領域において前記第４のプラグインターフェース接触部を跨ぐ、通信ジャック。
【請求項１７】
前記第１、第２、第３、及び、第４のプラグインターフェース接触部が対応する通信プラグのプラグ接触部それぞれと適合する接触領域をさらに含み、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置され、
前記第２のプラグインターフェース接触部がぞれぞれの前記端領域の一部において前記第３のプラグインターフェース接触部と隣接して配置され、
前記第１のプラグインターフェース接触部がぞれぞれの前記端領域の一部において前記第４のプラグインターフェース接触部と隣接して配置される、請求項１６に記載の通信ジャック。
【請求項１８】
前記第１、第２、第３、及び、第４のプラグインターフェース接触部の少なくとも１つが、その前記端領域において支持される、請求項１６に記載の通信ジャック。
【請求項１９】
前記第１のプラグインターフェース接触部及び前記第２のプラグインターフェース接触部が前記第３のプラグインターフェース接触部及び前記第４のプラグインターフェース接触部を挟む、請求項１６に記載の通信ジャック。
【請求項２０】
前記第１、第２、第３、及び、第４のプラグインターフェース接触部の少なくとも１つがそれぞれの前記端領域に亘って電流路を提供しない、請求項１６に記載の通信ジャック。
【請求項２１】
前記第１、第２、第３、及び、第４のプラグインターフェース接触部の少なくとも１つがプリント回路内に固定されたそれぞれの前記固定端を有する、請求項１６に記載のジャック。
【請求項２２】
プラグを受け入れるための開口部を有する筐体と、
前記開口部に少なくとも部分的に配置され、それぞれが前記前記開口部に近接した端領域と通信ジャック内に固定された固定端とを含み、第１の差動ペアを形成する、第１のプラグインターフェース接触部及び第２のプラグインターフェース接触部と、
前記開口部に少なくとも部分的に配置され、それぞれ前記前記開口部に近接した端領域を含み、第２の差動ペアを形成する、第３のプラグインターフェース接触部及び第４のプラグインターフェース接触部と、
前記開口部に少なくとも部分的に配置され、それぞれ前記前記開口部に近接した端領域と通信ジャック内に固定された固定端とを含み、第２の差動ペアを形成する、第３のプラグインターフェース接触部及び第４のプラグインターフェース接触部と、
前記第１、第２、第３、及び、第４のプラグインターフェース接触部が対応する通信プラグのプラグ接触部それぞれと適合する接触領域と、
を備える、通信ジャックであって、
前記接触領域において、前記第３のプラグインターフェース接触部及び前記第４のプラグインターフェース接触部が互いに隣接して配置され、前記第１のプラグインターフェース接触部が前記第３のプラグインターフェース接触部に隣接して配置され、前記第２のプラグインターフェース接触部が前記第４のプラグインターフェース接触部に隣接して配置され
前記第３のプラグインターフェース接触部が、通信ジャックが対応する前記通信プラグと結合される際に、前記第４のプラグインターフェース接触部と異なる向きになる、通信ジャック。
【請求項２３】
前記第１、第２、第３、及び、第４のプラグインターフェース接触部の少なくとも１つがそれぞれの前記端領域に亘って電流路を提供しない、請求項２２に記載の通信ジャック。
【請求項２４】
前記第３のプラグインターフェース接触部は、それぞれの前記端領域において前記第４のプラグインターフェース接触部を跨ぐ、請求項２２に記載の通信ジャック。
【手続補正２】
【補正対象書類名】明細書
【補正対象項目名】０００２
【補正方法】変更
【補正の内容】
【０００２】
本発明は、一般に、通信コネクタの分野に関連し、より具体的には、プラグインターフェース接触部の配置と、通信ジャックとの使用のためのプラグインターフェース接触部を有する前側スレッド部分組立品と、そのような前側スレッド組立品を用いる通信ジャックに関する。
【手続補正３】
【補正対象書類名】明細書
【補正対象項目名】０００４
【補正方法】変更
【補正の内容】
【０００４】
ＲＪ４５ジャックでは、電気信号を伝達するための手段は、通常、８つのプラグインターフェース接触部（ＰＩＣ）を含む。８つのＰＩＣが、８極のＲＪ４５プラグに配置された８つのプラグ接触部をそれぞれ接続するように設計されている一方、６極プラグ（たとえば、ＲＪ１２、ＲＪ２５）をＲＪ４５ジャックに接続することも可能である。しかしながら、８極プラグと比較して、プラグ接触部１及びプラグ接触部８が６極プラグには存在しない。したがって、プラグ接触部が存在しない場所では、ジャックのＰＩＣは、プラグ接触部が存在する場所に比べて、より大きなたわみに耐えなければならない。この追加的なたわみは、外側ＰＩＣが塑性的に変形する原因となり、変形が十分に大きい場合、ジャックにダメージを与える（もしくは、特定の仕様内での動作を妨げる）原因になる。
【手続補正４】
【補正対象書類名】明細書
【補正対象項目名】０００６
【補正方法】変更
【補正の内容】
【０００６】
したがって、プラグインターフェース接触部の改善された設計と対応する補償方法とを有する通信ジャックに対する必要性が存在する。
【手続補正５】
【補正対象書類名】明細書
【補正対象項目名】０００８
【補正方法】変更
【補正の内容】
【０００８】
一実施形態では、本発明は、前回転プラグインターフェース接触部と後回転プラグインターフェース接触部の両方を備える通信ジャックである。
【手続補正６】
【補正対象書類名】明細書
【補正対象項目名】００１１
【補正方法】変更
【補正の内容】
【００１１】
さらに別の実施形態では、本発明は、プラグを受け入れるための開口部を有する筐体と、開口部に少なくとも部分的に受け入れられる複数のプラグインターフェース接触部とを有する通信コネクタである。複数のプラグインターフェース接触部は開口部に近接した各端部を含み、複数のプラグインターフェース接触部は開口部から遠位の各端部を有し、遠位端はコネクタ内で固定され、近位端は支えられて遠位端に対して回転し、近位端はばね部を含む。本実施形態の変形では、通信コネクタは通信システムで使用される。
【手続補正７】
【補正対象書類名】明細書
【補正対象項目名】００１２
【補正方法】変更
【補正の内容】
【００１２】
またさらに別の実施形態では、本発明は、プラグを受け入れるための開口部を有する筐体と、開口部に少なくとも部分的に受け入れられる複数のプラグインターフェース接触部とを有する通信コネクタである。複数のプラグインターフェース接触部は開口部に近接した各端部を含み、複数のプラグインターフェース接触部は開口部から遠位の各端部を有し、遠位端はコネクタ内で固定され、近位端は遠位端に対して回転し、近位端は接触領域を含み、接触領域はばねによって支えられている。
【手続補正８】
【補正対象書類名】明細書
【補正対象項目名】００１４
【補正方法】変更
【補正の内容】
【００１４】
【図１】本発明の一実施形態による通信システムの図である。
【図２】本発明の一実施形態による、プラグとジャックとの組み合わせの図である。
【図３】本発明の一実施形態による、通信ジャックの分解図である。
【図４Ａ】本発明の一実施形態による、前側スレッド部分組立品の正面斜視図である。
【図４Ｂ】図４Ａの前側スレッド部分組立品の後面斜視図である。
【図４Ｃ】図４Ａの前側スレッド部分組立品の分解図である。
【図４Ｄ】図４Ａの前側スレッド部分組立品のプラグインターフェース接触部の側面図である。
【図４Ｅ】図４Ａの前側スレッド部分組立品のプラグインターフェース接触部の側面図である。
【図５】図４Ａの前側スレッド部分組立品の組み立て工程のステップの図である。
【図６Ａ】図４Ａの前側スレッド部分組立品の組み立て工程の別のステップの図である。
【図６Ｂ】図４Ａの前側スレッド部分組立品の組み立て工程の別のステップの図である。
【図７】図４Ａの前側スレッド部分組立品の組み立て工程のさらに別のステップの図である。
【図８Ａ】図４Ａの前側スレッド部分組立品の組み立て工程のまたさらに別のステップの図である。
【図８Ｂ】図４Ａの前側スレッド部分組立品の組み立て工程のまたさらに別のステップの図である。
【図９】本発明の一実施形態による、通信ジャックの分解図である。
【図１０】本発明の一実施形態による、前側スレッド部分組立品の正面斜視図である。
【図１１】図１０の前側スレッド部分組立品の分解図である。
【図１２】図１０の前側スレッド部分組立品のプラグインターフェース接触部のうちのいくつかの側面図である。
【図１３Ａ】プラグインターフェース接触部がインストールされていない、図１０の前側スレッド部分組立品の正面斜視図である。
【図１３Ｂ】プラグインターフェース接触部がインストールされた、図１０の前側スレッド部分組立品の正面斜視図である。
【図１４】図１０の前側スレッド部分組立品の側面図である。
【図１５】図１０の前側スレッド部分組立品のプラグインターフェース接触部のいくつかの図である。
【図１６】図１０の前側スレッド部分組立品の後面斜視図である。
【図１７】本発明の一実施形態による通信ジャックの分解図である。
【図１８Ａ】本発明の一実施形態による前側スレッド部分組立品の正面斜視図である。
【図１８Ｂ】図１８Ａの前側スレッド部分組立品の後面斜視図である。
【図１９】図１８Ａの前側スレッド部分組立品の側面図である。
【図２０】図１８Ａの前側スレッド部分組立品の部分平面図である。
【図２１】開いた状態にある、図１８Ａの前側スレッド部分組立品の正面斜視図である。
【図２２】図１８Ａの前側スレッド部分組立品の組み立て工程のステップの図である。
【図２３】図１８Ａの前側スレッド部分組立品の組み立て工程の別のステップの図である。
【図２４】本発明の一実施形態による通信ジャックの分解図である。
【図２５】本発明の一実施形態による前側スレッド部分組立品の正面斜視図である。
【図２６】図２５の前側スレッド部分組立品の側面図である。
【図２７】図２５の前側スレッド部分組立品のプラグインターフェース接触部４からプラグインターフェース接触部６の一実施形態の斜視図である。
【図２８】図２５の前側スレッド部分組立品のプラグインターフェース接触部１とプラグインターフェース接触部２とプラグインターフェース接触部７とプラグインターフェース接触部８との斜視図である。
【図２９】図２５の前側スレッド部分組立品の正面斜視図である。
【図３０】図２５の前側スレッド部分組立品の後面斜視図である。
【図３１】図２５の前側スレッド部分組立品の底面等角図である。
【図３２】図２５のプリント基板の一実施形態の斜視図である。
【図３３】図３２のプリント基板の４つの層のための図柄の平面図である。
【図３４】図３３のプリント基板の概略図である。